(57)【特許請求の範囲】
【請求項１】
（ａ）下記一般式（ａ１）の化合物〔以下、（ａ）成分という〕を１〜５０質量％、（ｂ）炭素数８〜２２の脂肪酸又はその塩〔以下、（ｂ）成分という〕を含有し、一般式（ａ１）の化合物の総モル数に対する一般式（ａ１）中のＲ1aが分岐鎖アルキル基である化合物の総モル数の割合が２５〜１００モル％であり、（ｂ）成分／（ａ）成分の質量比が０．０３〜１であり、且つ（ｃ）アミンオキシド型界面活性剤を実質的に含まない、手洗い用食器洗浄剤組成物。
Ｒ1a−Ｏ−〔（ＰＯ）m／（ＥＯ）n〕−ＳＯ3Ｍ    （ａ１）
〔式中、Ｒ1aは、炭素数１０〜２４のアルキル基であり、ＰＯとＥＯはそれぞれプロピレンオキシ基とエチレンオキシ基であり、ｍ、ｎはＰＯ又はＥＯの平均付加モル数を示し、それぞれ０〜１．５の数である。Ｍは無機又は有機の陽イオンである。ＰＯとＥＯの付加順序は問わない。また、“／”は、ＰＯとＥＯの付加形態がブロックでもランダムでもよいことを意味する。〕
【請求項２】
一般式（ａ１）の化合物の総モル数に対する一般式（ａ１）中のＲ1aが分岐鎖アルキル基である化合物の総モル数の割合が５０〜１００モル％である請求項１記載の手洗い用食器洗浄剤組成物。
【請求項３】
（ｂ）成分が、ラウリン酸、ミリスチン酸、椰子組成の混合脂肪酸、パーム油組成の混合脂肪酸、パーム核油組成の混合脂肪酸、又はこれらの塩である請求項１又は２記載の手洗い用食器洗浄剤組成物。
【請求項４】
（ｄ）含マグネシウム無機化合物及び有機ジアミンから選ばれる化合物〔以下、（ｄ）成分という〕を含有し、（ｂ）成分／（ｄ）成分の質量比が１〜１０である請求項１〜３の何れか１項記載の手洗い用食器洗浄剤組成物。
【請求項５】
（ｄ）成分の有機ジアミンが、下記式（ｄ２）で表されるジアミンである請求項４記載の手洗い用食器洗浄剤組成物。
【化１】
0005700523.tif 000004
〔式中、Ｒ1d〜Ｒ12dはそれぞれ、炭素数１〜３のアルキル基、炭素数１〜３のアミノアルキル基、アミノ基又は水素原子であり、かつ、Ｒ1d〜Ｒ12dの中の２つがアミノ基及び炭素数１〜３のアミノアルキル基から選ばれる基である。〕
【請求項６】
（ｄ）成分が塩化マグネシウム、硫酸マグネシウム、１，３−ビス（メチルアミノ）シクロヘキサン及びイソホロンジアミンから選ばれる化合物である請求項４又は５記載の手洗い用食器洗浄剤組成物。
【請求項７】
（ｄ）成分が塩化マグネシウム、及び１，３−ビス（メチルアミノ）シクロヘキサンから選ばれる化合物である請求項４〜６の何れか１項記載の手洗い用食器洗浄剤組成物。
【請求項８】
（ｄ）成分が１，３−ビス（メチルアミノ）シクロヘキサンである請求項４〜７の何れか１項記載の手洗い用食器洗浄剤組成物。
【請求項９】
（ｄ）成分を１〜６質量％含有する請求項４〜８の何れか１項記載の手洗い用食器洗浄剤組成物。
【請求項１０】
（ａ）成分が、一般式（ａ１）中のＲ1a−が炭素数１０〜１６のアルキル基の化合物である、請求項１〜９の何れか１項記載の手洗い用食器洗浄剤組成物。
【請求項１１】
（ａ）成分が、（１）炭素数８〜１４の１−アルケンをヒドロホルミル化して得られたアルコール、（２）炭素数４〜８のアルデヒドを縮合させた後、還元して得られるゲルベ型アルコール、（３）イソブテンの２量体をヒドロホルミル化して得られる３，５，５−トリメチルヘキサノール、及び（４）イソブテンの３量体をヒドロホルミル化して得られる多分岐トリデカノールから選ばれる原料アルコールを用いて得られた化合物である、請求項１〜１０の何れか１項記載の手洗い用食器洗浄剤組成物。
【請求項１２】
（ｃ）アミンオキシド型界面活性剤の含有量が０．５質量％以下である、請求項１〜１１の何れか１項記載の手洗い用食器洗浄剤組成物。
【発明の詳細な説明】
【技術分野】
【０００１】
本発明は、手洗い用食器洗浄剤組成物に関する。
【背景技術】
【０００２】
手洗い用食器洗浄剤には、洗浄時に豊かな泡立ちと洗浄時の泡の持続性が求められる。この起泡性／泡持続性は洗浄性及び洗浄持続性と相関がある非常に重要な物性であり、これまで起泡性／泡持続性に優れる洗浄剤の開発が主に行われてきた。一方、近年の水資源への意識の高まりとともに、食器及び／又は洗浄器具から泡を取り除くのに必要な濯ぎ用水を減らすことが望まれている。
【０００３】
特許文献１には、シリコーンポリマー及び脂肪酸を起泡抑制剤として含有する手動食器洗浄組成物が開示されている。また、特許文献２には、シリコーン泡抑制剤と、特定の短鎖アミン界面活性剤とを含有する液体洗剤が開示されている。
【先行技術文献】
【特許文献】
【０００４】
【特許文献１】特表２００４−５２２８１７号公報
【特許文献２】特表２０００−５０９０７８号公報
【発明の概要】
【発明が解決しようとする課題】
【０００５】
しかしながら、特許文献１、２で開示された組成物は濯ぎ時のみならず、洗浄時における泡立ちが抑制され、洗浄時の泡立ち及び泡持続性に問題がある。
【０００６】
従って本発明の課題は、洗浄時には豊かな泡立ちと泡持続性を示すが、すすぎ時には瞬時に泡が消え、少量の水ですすぎが完了する手洗い用食器洗浄剤を提供することにある。
【課題を解決するための手段】
【０００７】
本発明は、（ａ）下記一般式（ａ１）の化合物〔以下、（ａ）成分という〕を１〜５０質量％、（ｂ）炭素数８〜２２の脂肪酸又はその塩〔以下、（ｂ）成分という〕を含有し、一般式（ａ１）の化合物の総モル数に対する一般式（ａ１）中のＲ1aが分岐鎖アルキル基である化合物の総モル数の割合〔以下、（ａ）成分の分岐率という〕が２５〜１００モル％であり、（ｂ）成分／（ａ）成分の質量比が０．０１〜１であり、且つ（ｃ）アミンオキシド型界面活性剤〔（ｃ）成分という〕を実質的に含まない、手洗い用食器洗浄剤組成物に関する。
Ｒ1a−Ｏ−〔（ＰＯ）m／（ＥＯ）n〕−ＳＯ3Ｍ    （ａ１）
〔式中、Ｒ1aは、炭素数１０〜２４のアルキル基であり、ＰＯとＥＯはそれぞれプロピレンオキシ基とエチレンオキシ基であり、ｍ、ｎはＰＯ又はＥＯの平均付加モル数を示し、それぞれ０〜１．５の数である。Ｍは無機又は有機の陽イオンである。ＰＯとＥＯの付加順序は問わない。また、“／”は、ＰＯとＥＯの付加形態がブロックでもランダムでもよいことを意味する。〕
【発明の効果】
【０００８】
本発明によれば、洗浄時には豊かな泡立ちと洗浄時の泡の持続性を示すが、すすぎ時には瞬時に泡が消え、少量の水ですすぎが完了する手洗い用食器洗浄剤が提供される。
【発明を実施するための形態】
【０００９】
＜（ａ）成分＞
本発明の（ａ）成分は、前記一般式（ａ１）の化合物であり、分岐率が２５〜１００モル％となるように、直鎖アルキル基を有する化合物や分岐鎖アルキル基を有する化合物が単独又は複数用いられる。
【００１０】
このような陰イオン界面活性剤は非常に起泡性に優れることが知られており、（ａ）成分で且つ分岐率を満たすものとして、より具体的には、炭素数１０〜２４、好ましくは炭素数１０〜１６のアルキル基を有し、かつ分岐率が２５〜１００モル％であるアルキル硫酸エステル塩、炭素数８〜２２、好ましくは炭素数１０〜１６のアルキル基を有し、かつ分岐率が２５〜１００モル％であり、アルキレン基の炭素数が２及び／又は３であるポリオキシアルキレン基の平均付加モル数が０．１〜６であるポリオキシアルキレン基を有するポリオキシアルキレンアルキルエーテル硫酸エステル塩が好適である。塩としてはナトリウム塩、カリウム塩、リチウム塩、マグネシウム塩、アンモニウム塩から選ばれる無機塩、モノエタノールアミン塩、ジエタノールアミン塩、トリエタノールアミン塩から選ばれる有機アミン塩が好適である。
【００１１】
（ａ）成分の分岐率は、すすぎ時の泡消え性の観点から、２５〜１００％であり、好ましくは５０〜１００モル％、より好ましくは８０〜１００モル％、更に好ましくは９０〜１００モル％である。
【００１２】
一般式（ａ１）中、ｍは、洗浄性能と泡消え性の観点から、好ましくは０〜１．５であり、より好ましくは０〜１．０、更に好ましくは０〜０．５、特に好ましくは０である。
【００１３】
また、一般式（ａ１）中、ｎは、洗浄性能と泡消え性の観点から、好ましくは０〜１．５であり、より好ましくは０〜１．０、更に好ましくは０〜０．５、特に好ましくは０である。
【００１４】
一般式（ａ１）の化合物は、泡消え性の観点から、（ａ）成分の分岐率が、好ましくは５０〜１００モル％、より好ましくは８０〜１００モル％、更に好ましくは９０〜１００モル％となるように選択して使用される。
【００１５】
一般式（ａ１）中のＭはナトリウムイオン、カリウムイオン、リチウムイオン、マグネシウムイオン、アンモニウムイオンから選ばれる無機陽イオン、モノエタノールアミンモニウムイオン、ジエタノールアミンモニウムイオン、トリエタノールアミンモニウムイオンから選ばれる有機陽イオンであるが、好ましくはアンモニウムイオン、ナトリウムイオン、カリウムイオン、マグネシウムイオンである。
【００１６】
一般式（ａ１）の化合物の調製方法としては、特に限定されるものではないが、例えばＲ1a−ＯＨで示される脂肪アルコールに目的に応じてエチレンオキシド及び／又はプロピレンオキシドを所定量付加させた後、三酸化硫黄（液体又は気体）、三酸化硫黄含有ガス、発煙硫酸、クロルスルホン酸から選ばれる硫酸化剤で硫酸エステル化し、所定のアルカリ剤で中和して製造される。エチレンオキシド及び／又はプロピレンオキシドの付加反応は触媒が必要でありＮａＯＨ、ＫＯＨなどの水酸化アルカリを用いることができる。また、特開平８−３２３２００号公報に記載の酸化マグネシウムを主成分とする触媒を用いることができ、前者は付加モル数分布が比較的広いポリオキシエチレンアルキルエーテルを得ることができ、後者は比較的狭い付加モル数分布を有する化合物を得ることができる。また、特開平１０−１５８３８４号公報に開示されているようにアルカリ触媒と金属酸化物触媒を併用することにより付加モル数分布を制御することも可能である。
【００１７】
一般式（ａ１）においてＲ1aが分岐構造を有するアルキル基を含む化合物を得る場合には、原料のＲ1a−ＯＨで示されるアルコールとして、炭素数８〜１４の１−アルケンをヒドロホルミル化して得られたアルコール（ＯＨ基に対してβ位にメチル基が分岐したアルキル基が１５〜７０モル％含まれる）、炭素数４〜８のアルデヒドを縮合させた後、還元して得られるゲルベ型アルコール（ＯＨ基に対してβ位に炭素数３〜６のアルキル基が分岐した構造のものが１００モル％含まれる）、イソブテンの２量体をヒドロホルミル化して得られる３，５，５−トリメチルヘキサノール、イソブテンの３量体をヒドロホルミル化して得られる多分岐トリデカノール（分岐率は１００モル％である）、石油、石炭を原料とした合成アルコール（分岐率は約２５〜１００モル％）を用いることができる。
【００１８】
ヒドロホルミル化反応によると、一酸化炭素がオレフィン炭素のα位に付加して得られる直鎖１級アルコールと、β位に付加して得られる分岐鎖１級アルコールとの混合物が得られる。分岐率（原料アルコールの分岐率も、原料アルコールの総モル数に対して分岐鎖アルキル基を有するアルコールの総モル数の割合である）は、（ａ）成分として組成物に配合した場合のすすぎ時の泡消え性の観点から２５〜１００％であり、好ましくは５０〜１００％であり、より好ましくは９０〜１００％であり、特に好ましくは１００％である。このような分岐アルコールとしてはＳａｆｏｌ  １２３（サソール社製、分岐率：９４モル％）、Ｓａｆｏｌ  ２３（サソール社製、分岐率：５０モル％）等を挙げることができる。
【００１９】
また、炭素数４〜１４のアルデヒドをアルドール縮合させた後、還元処理をするとゲルベアルコールが得られる。ゲルベアルコールはβ位に炭素数２〜６のアルキル基が分岐した炭素数８〜２４の１級アルコール（分岐率は１００％）である。このような分岐アルコールとしてはＩｓｏｆｏｌ  １４Ｔ（サソール社製、炭素数１４のゲルベアルコール）などを挙げることができる。
【００２０】
本発明の（ａ）成分の原料アルコールとしては、これら以外に例えばイソブテンの２量体をヒドロホルミル化して得られる３，５，５−トリメチルヘキサノール、イソブテンの３量体をヒドロホルミル化して得られる多分岐トリデカノールを挙げることができ、 これらはメチル基が２〜６個分岐した炭素数９〜１５、好ましくは９又は１３の多分岐鎖１級アルコールである。
【００２１】
＜（ｂ）成分＞
本発明の（ｂ）成分は、炭素数８〜２２の脂肪酸又はその塩であり、具体的にはデカン酸、ラウリン酸、ミリスチン酸、パルミチン酸、パルミトレイン酸、ステアリン酸、オレイン酸、リノール酸、リノレイン酸などの単独アルキル組成の脂肪酸、椰子油組成、パーム油組成、パーム核油組成、菜種油組成、牛脂組成脂肪酸などの混合脂肪酸、及びこれらを水素で硬化した脂肪酸、並びにこれらの塩を挙げることができる。脂肪酸の塩としては、ナトリウム塩、カリウム塩、リチウム塩、マグネシウム塩、アンモニウム塩から選ばれる無機塩、モノエタノールアミン塩、ジエタノールアミン塩、トリエタノールアミン塩などの有機アミン塩であるが、長期保管による臭いの劣化や着色の観点から好ましくはナトリウム塩、カリウム塩、マグネシウム塩、より好ましくはナトリウム塩、カリウム塩等のアルカリ金属塩が挙げられる。
【００２２】
（ｂ）成分としては、起泡力、及び泡消え性の観点から、より好ましくはラウリン酸、ミリスチン酸、パルミチン酸、椰子油組成、パーム油組成、パーム核油組成、菜種油組成、牛脂組成脂肪酸などの混合脂肪酸、又はこれらの塩であり、より更に好ましくはラウリン酸、ミリスチン酸、椰子組成、パーム油組成、パーム核油組成の混合脂肪酸、又はこれらの塩であり、最も好ましくは椰子油組成の混合脂肪酸又はその塩である。
【００２３】
＜（ｃ）成分＞
本発明ではすすぎ時の泡消え性の点から、手洗い用食器洗浄剤組成物に通常使用されるアミンオキシド型界面活性剤を実質的に含まない。本発明でいう「実質的に含まない」とは、本発明の効果を損なわない範囲内で含んでいても良いことを意味するものであって、より具体的には、組成物中の含有量が０．５質量％以下、好ましくは０．３質量％以下、より好ましくは０．１質量％以下であると定義する。本発明でいう（ｃ）の具体的化合物は、Ｎ−アルカノイルアミノプロピル−Ｎ，Ｎ−ジメチルアミンオキシド（アルカノイルとしてはラウロイル又はミリスチロイル）、Ｎ−アルキル−Ｎ，Ｎ−ジメチルアミンオキシド（アルキル基としてはラウリル基又はミリスチル基）を挙げることができ、これらは洗浄時に豊かな泡立ちを提供する反面、すすぎ時には泡消え性に悪影響を及ぼす。
【００２４】
＜手洗い用食器洗浄剤組成物＞
本発明の手洗い用食器洗浄剤組成物は、起泡性／泡持続性を有する（ａ）成分、及び消泡効果を有する（ｂ）成分を特定条件で併用することにより、比較的洗浄剤の濃度が高い洗浄水においては非常に高い起泡性と泡持続性を示すが、洗浄終了後にすすぎ水の添加により洗浄液中の界面活性剤濃度が低下すると、瞬時に泡が消え、少量の水ですすぎを完了させることができる。この理由は必ずしも定かではないが、すすぎでの界面活性剤の希釈によりミセルから放出された（ｂ）成分が泡に何らかの作用をして泡が消えやすくなっていることと、（ａ）成分中の分岐鎖アルキル基により泡の構造自体が壊れやすくなっていることが考えられる。（ｂ）成分は溶液特性調整剤として公知であるが、これを用いた本発明の洗浄剤組成物により、洗浄時には豊かな泡立ちが得られ、一方ですすぎ時には速やかに消泡する効果が得られることは意外な効果である。
【００２５】
本発明の手洗い用食器洗浄剤組成物は、洗浄時の起泡力、すすぎ時の泡消え性及び経済性の観点から、（ａ）成分を１〜５０質量％、好ましくは１０〜４０質量％、より好ましくは２０〜３０質量％含有する。また、（ｂ）成分を好ましくは１〜１０質量％、更に２〜５質量％含有する。なお、本発明において質量％や質量比等を求めるための（ｂ）成分の量は、酸型化合物としての量である。
【００２６】
また、（ｂ）成分／（ａ）成分の質量比は、洗浄時の起泡力、すすぎ時の泡消え性の観点から、０．０１〜１であり、好ましくは０．０２〜０．２であり、より好ましくは０．０３〜０．１である。
【００２７】
本発明ではすすぎ時の泡消え性を高め、すすぎに使用する水の量を極力低減化する目的から（ｃ）成分は実質的に含有しない。なお本発明でいう実質的という意味は（ｃ）成分の本来有する増泡効果が示されない濃度で存在しても差し支えないことを示すもので、０．５質量％以下、好適には０．１質量％以下である。
【００２８】
本発明の手洗い用食器洗浄剤組成物は、油汚れに対する乳化力を高め、洗浄力を増強する目的から、（ｄ）成分として、（ｄ１）含マグネシウム無機化合物〔以下（ｄ１）成分という〕、または（ｄ２）有機ジアミン〔以下（ｄ２）成分という〕を含有することが好ましい。
【００２９】
本発明の（ｄ１）成分としては、塩化マグネシウム等のマグネシウム塩化物、硫酸マグネシウム、硝酸マグネシウム等のマグネシウム塩、水酸化マグネシウム、酸化マグネシウム等が挙げられるが、塩化マグネシウム及び硫酸マグネシウムから選ばれる化合物がより好ましく、塩化マグネシウムが更により好ましい。
【００３０】
本発明の（ｄ２）成分は有機ジアミンである。洗浄時の起泡性及び泡持続性の点から炭素数３〜１２のジアミンが挙げられるが、炭素数３〜１２のアルキレンスペーサーを有する一級ジアミンが好ましく、当該アルキレンスペーサーに環式構造を含むことがより好ましく、当該環式構造が六員環構造であることが更に好ましく、下記式（ｄ２）で表されるジアミンがより更に好ましい。具体的には１，３−ビス（メチルアミノ）シクロヘキサンとイソホロンジアミンを挙げることができ、その中でも、１，３−ビス（アミノメチル）シクロヘキサンが特に好ましい。
【００３１】
【化１】
0005700523.tif 000002
【００３２】
〔式中、Ｒ1d〜Ｒ12dはそれぞれ、炭素数１〜３のアルキル基、炭素数１〜３のアミノアルキル基、アミノ基又は水素原子であり、かつ、Ｒ1d〜Ｒ12dの中の２つがアミノ基及び炭素数１〜３のアミノアルキル基から選ばれる基である。前記炭素数１〜３のアルキル基は好ましくはメチル基である。〕
【００３３】
本発明の手洗い用食器洗浄剤組成物は、（ｄ）成分を好ましくは０．１〜２０質量％、更に０．５〜１０質量％、より更に１〜６質量％含有する。また、（ｂ）成分／（ｄ）成分の質量比は、好ましくは０．１〜１０、より好ましくは０．５〜８、更に好ましくは１〜６である。すすぎ時の泡消え性の観点から（ｂ）成分／（ｄ）成分の質量比は０．１以上が好ましく、洗浄時の起泡力及び配合安定性の観点から１０以下が好ましい。なお、（ｄ）成分のうち、（ｄ１）成分は結晶水を含む場合があるが、前記の質量％や質量比は、結晶水を除いた質量に基づく。また、（ｄ）成分が（ｄ１）成分である場合、本発明では洗浄力の観点から、（ｄ１）成分の含有量は、組成物中、好ましくは１〜２０質量％、より好ましくは２〜１５質量％、更に好ましくは３〜１０質量％である。
【００３４】
本発明では組成物中の全界面活性剤の含有量に対する（ａ）成分、（ｂ）成分の合計質量は、好ましくは６０〜１００質量％、好ましくは８０〜１００質量％、より好ましくは９０〜１００質量％である。
【００３５】
（ａ）成分、及び（ｂ）成分以外に使用することができる界面活性剤としては、（ｅ）アルキルグリセリルエーテル型界面活性剤〔以下、（ｅ）成分という〕、並びに、（ｆ）（ｆ１）両性界面活性剤、及び（ｆ２）アルカノールアミド型界面活性剤から選ばれる界面活性剤〔以下、（ｆ）成分という〕等が挙げられる。
【００３６】
本発明の手洗い用食器洗浄剤組成物は、すすぎ時には瞬時にぬるつきがなくなり、少量の水ですすぎを完了できるという観点から、（ｅ）成分として、アルキル基の炭素数が６〜１８のアルキルグリセリルエーテルを含有することが好ましい。具体的には下記一般式（ｅ１）の化合物が好適である。
Ｒ1e−Ｏ−（Ｇｌｙ）r−Ｈ        （ｅ１）
〔式中、Ｒ1eは炭素数６〜１８のアルキル基を示し、Ｇｌｙはグリセリンから２つの水素原子を除いた残基を示し、ｒは平均付加モル数であり、１〜４の数を示す。〕
【００３７】
一般式（ｅ１）において、Ｒ1eは炭素数６〜１８、好ましくは７〜１２、より好ましくは８〜１０のアルキル基である。本発明ではすすぎ時のぬるつき低減の観点から、分岐構造を有する化合物が好適であり、Ｒ1eは分岐構造を有するアルキル基が好ましく、具体例として、２−エチルヘキシル基、ｓｅｃ−オクチル基、イソノニル基及びイソデシル基から選ばれる基がより好ましく、２−エチルヘキシル基又はイソデシル基が更に好ましく、２−エチルヘキシル基が特に好ましい。一般式（ｅ１）において、ｒは１〜３が好ましく、１〜２がより好ましく、ｒ＝１の化合物が最も好ましい。特に好ましい化合物は、Ｒ1eが２−エチルヘキシル基で、かつ、ｒ＝１の化合物である。
【００３８】
Ｇｌｙで示される構造はグリセリンの１位と３位のヒドロキシ基が結合している−ＣＨ2ＣＨ（ＯＨ）ＣＨ2−で示される構造か、又はグリセリンの１位と２位のヒドロキシ基が結合している−ＣＨ（ＣＨ2ＯＨ）ＣＨ2−で示される構造であり、触媒や反応条件によって異なる。
【００３９】
一般式（ｅ１）の化合物を得るには、例えば炭素数６〜１０のアルコールとしてＲ1e−ＯＨで示されるアルキルアルコールを用い、エピハロヒドリンやグリシドールなどのエポキシ化合物とを、ＢＦ3などの酸触媒、あるいはアルミニウム触媒を用いて反応させて製造する方法を用いることができる。
【００４０】
（ｅ）成分の含有量は洗浄性能の観点から、組成物中、好ましくは０．５〜２０質量％、より好ましくは１〜１５質量％、２〜１０質量％が更に好ましい。
【００４１】
本発明では、（ｆ）成分として、（ｆ１）両性界面活性剤〔以下、（ｆ１）成分という〕、及びアルカノールアミド型界面活性剤〔以下、（ｆ２）成分という〕から選ばれる１種以上の界面活性剤を本発明の効果を損なわない範囲で配合することができる。（ｆ）成分は、炭素数８〜１８のアルキル基を有するものが好ましい。
【００４２】
本発明では増泡効果のある界面活性剤として（ｆ１）成分を使用してもよい。（ｆ１）成分として、スルホベタイン型界面活性剤、カルボベタイン型界面活性剤、及びイミダゾリン型界面活性剤が挙げられる。
【００４３】
洗浄時の起泡性及び泡持続性を改善するが、すすぎ時の瞬時の泡消え性を損なうことがない点で、スルホベタイン型界面活性剤が好ましい。スルホベタイン型界面活性剤としては、アルキル基の炭素数が１０〜１８のＮ−アルキル−Ｎ，Ｎ−ジメチル−Ｎ−スルホプロピルアンモニウムスルホベタイン、アルキル基の炭素数が１０〜１８のＮ−アルキル−Ｎ，Ｎ−ジメチル−Ｎ−（２−ヒドロキシスルホプロピル）アンモニウムスルホベタイン、アルカノイル基の炭素数が１０〜１８のＮ−アルカノイルアミノプロピル−Ｎ，Ｎ−ジメチル−Ｎ−スルホプロピルアンモニウムスルホベタイン、アルカノイル基の炭素数が１０〜１８のＮ−アルカノイルアミノプロピル−Ｎ，Ｎ−ジメチル−Ｎ−（２−ヒドロキシスルホプロピル）アンモニウムスルホベタインが好適である。（ｆ１）成分の含有量は、組成物中に好ましくは０．５〜２０質量％、より好ましくは１〜１５質量％、更に好ましくは２〜１０質量％である。また（ｆ１）成分／〔（ａ）成分＋（ｆ１）成分〕の質量比は、洗浄時の起泡性／泡持続性の向上とすすぎ時の泡消え性の観点から、好ましくは０．０１〜０．２、より好ましくは０．０２〜０．１である。
【００４４】
本発明では増泡効果のある界面活性剤として（ｆ２）成分を使用してもよい。（ｆ２）成分としては、モノエタノールアミン、ジエタノールアミン、メチルモノエタノールアミンなどのアルカノールアミンとラウリン酸、ミリスチン酸などの脂肪酸とのアミド化物が挙げられる。（ｆ２）成分の含有量はすすぎ時の消泡効果の観点で、組成物中、０〜１０質量％、更に０〜５質量％、より更に０〜１質量％が好ましく、実質的に含まないことが特に好ましい。
【００４５】
本発明の手洗い用食器洗浄剤組成物は、貯蔵安定性を向上させる目的でハイドロトロープ剤〔以下、（ｇ）成分という〕を含有することが好ましい。ハイドロトロープ剤としては、トルエンスルホン酸、キシレンスルホン酸、クメンスルホン酸及びこれらのナトリウム、カリウムあるいはマグネシウム塩が良好であり、特にｐ−トルエンスルホン酸が良好である。（ｇ）成分の含有量は、貯蔵安定性の観点から、組成物中に好ましくは０．５〜１５質量％、より好ましくは１〜１０質量％、更に好ましくは１．５〜５質量％である。
【００４６】
本発明では貯蔵安定性の改善を目的に、及び粘度調節剤として溶剤〔以下、（ｈ）成分という〕を含有することができる。溶剤の具体的例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール、ベンジルアルコールから選ばれる水溶性有機溶媒が好ましい。なかでも、ブチルジグリコール、エタノール、及びプロピレングリコールから選ばれる１種以上の水溶性有機溶剤が好ましく、エタノール、及びプロピレングリコールから選ばれる１種以上の水溶性有機溶剤が更に好ましい。ここで、水溶性有機溶剤とは、オクタノール／水分配係数（ＬｏｇＰｏｗ）が３．５以下の溶剤を指すものとする。（ｈ）成分の含有量は、貯蔵安定性の観点から、組成物中に好ましくは３〜３０質量％、より好ましくは５〜２０質量％、更に好ましくは１０〜１５質量％である。
【００４７】
本発明の手洗い用食器洗浄剤組成物には、ゲル化防止のための重合体、例えば特表平１１−５１３０６７号公報に記載されているゲル化防止重合体〔以下、（ｉ）成分という〕、好ましくはポリアルキレングリコールを配合することが粘度調節及び貯蔵安定性の点から好ましい。ゲル化防止としてのポリアルキレングリコールの具体例としては、ポリエチングリコールを標準としたときのゲルパーミエーションクロマトグラフィーによって求められた重量平均分子量が２００〜３０００のポリプロピレングリコール、及びポリエチレングリコールを挙げることができる。（ｉ）成分の含有量は、ゲル化防止の観点から、組成物中に好ましくは０．０５〜１０質量％、より好ましくは０．１〜５質量％、特に好ましくは０．５〜３質量％である。
【００４８】
本発明の手洗い用食器洗浄剤組成物は、上記成分を水に溶解／分散／乳化させた液体組成物の形態が好ましく、水溶液が好ましい。用いる水は脱イオン水や蒸留水、或いは次亜塩素酸を０．５〜１０ｐｐｍ程度溶解させた次亜塩素酸滅菌水などを使用することができる。
【００４９】
本発明の手洗い用食器洗浄剤組成物の２５℃におけるｐＨは洗浄時の起泡力及びすすぎ時の泡消え性の観点から、好ましくは４〜１０、より好ましくは４．５〜９、更に好ましくは５〜８であり、このようなｐＨへの調整は、硫酸、塩酸、リン酸から選ばれる無機酸、クエン酸、りんご酸、マレイン酸、フマール酸、コハク酸から選ばれる有機酸、水酸化ナトリウム、水酸化カリウム、水酸化マグネシウム、炭酸ナトリウム、炭酸カリウムなどの無機アルカリ剤を用いて行われる。本発明では、組成物に緩衝能を持たせることが起泡性／泡持続性の点から好ましく、上記有機酸、好ましくはクエン酸と、無機アルカリ剤とを併用することが好適である。有機酸はナトリウム塩やカリウム塩の形態で組成物に配合しても差し支えない。なお、ｐＨ調整のために用いた化合物のうち、水酸化マグネシウム等、（ｄ）成分に該当するものは、（ｄ）成分として取り扱うものとする。
【００５０】
本発明の手洗い用食器洗浄剤組成物の２０℃における粘度は、好ましくは５〜５００ｍＰａ・ｓ、より好ましくは１０〜３００ｍＰａ・ｓである。粘度は（ｇ）成分、（ｈ）成分、（ｉ）成分などで調整することができる。
【００５１】
本発明の手洗い用食器洗浄剤組成物は、香料、染料、顔料などの成分を含有することができる。
【００５２】
本発明の手洗い用食器洗浄剤組成物は、食器の手洗い洗浄に用いられる。手洗い洗浄に用いられる洗浄液は、本発明の手洗い用食器洗浄剤組成物を用いて得られたものであり、組成物の原液又は水を含む希釈液が用いられる。具体的な手洗い洗浄方法としては、例えば、水を含んだスポンジなどの可撓性材料に本発明の組成物を付着させ洗浄液を保持させて、手で数回揉みながら泡立てて、食器をこすり洗いする。可撓性材料が保持する洗浄液中の（ａ）成分、（ｂ）成分、（ｃ）成分、（ｅ）成分及び（ｆ）成分の合計濃度は、好ましくは１，０００〜３０，０００ｐｐｍ、より好ましくは１，０００〜２０，０００ｐｐｍ、更に好ましくは２，０００〜１０，０００ｐｐｍであることが、高い起泡性と泡持続性の点から好ましい。洗浄終了後には水を加えてすすぎを行うが、例えば、本発明では使用した組成物１質量部に対してすすぎ水３．３〜１３３質量部で泡が消え、すすぎを速やかに完了することができる。このすすぎ水の量は、従来の手洗い用洗浄剤組成物を用いた場合の２／３〜１／１０である。
【実施例】
【００５３】
下記の配合成分を用いて表１の手洗い用食器洗浄剤組成物を調製し、下記の各評価を行った。結果を表１に示す。なお、表１中の配合成分の質量％は、全て配合成分の有効分に基づく数値である。
【００５４】
＜配合成分＞
・ａ−１：直鎖／分岐鎖混合アルコール〔サソール社製Ｉｓａｌｃｈｅｍ１２３（炭素数１２のアルキル基及び炭素数１３のアルキル基を含有し、分岐率は９４モル％）〕を、３酸化イオウで硫酸化し水酸化ナトリウムで中和した化合物（平均分子量：２９５）
・ａ−２：直鎖／分岐鎖混合アルコール〔サソール社製Ｓａｆｏｌ２３（炭素数１２のアルキル基及び炭素数１３のアルキル基を含有し、分岐率は５０モル％）〕を、３酸化イオウで硫酸化し水酸化ナトリウムで中和した化合物（平均分子量：２９１）
・ａ−３：直鎖／分岐鎖混合アルコール〔サソール社製Ｉｓａｌｃｈｅｍ１１（炭素数１２のアルキル基を９９．７質量％で含有し、分岐率は９９モル％）〕を、３酸化イオウで硫酸化し水酸化ナトリウムで中和した化合物（平均分子量：２７７）
・ａ−４：直鎖／分岐鎖混合アルコール〔シェル社製ＮＥＯＤＯＬ２３（炭素数１２のアルキル基及び炭素数１３のアルキル基を含有し、分岐率は２０モル％〕を、３酸化イオウで硫酸化し水酸化ナトリウムで中和した化合物（平均分子量：２９６）
・ａ−５：ラウリル硫酸ナトリウム（分岐率は０モル％）
【００５５】
＜起泡力（初期泡量）及び泡消え性＞
組成物を３．５°ｄＨ硬水で３０倍希釈し、ポンプフォーマー（２００メッシュ１枚）により、３ｇの泡を５００ｍｌのメスシリンダー（材質：ガラス、アズワン製）に作製し、メスシリンダーの目盛りからその容量を記録し、起泡力（初期泡量）とした。手製のジョウロの下面を上記メスシリンダーの上端に設置して、当該ジョウロに３．５°ｄＨ硬水１００ｍｌを瞬時に満たして、そのままジョウロを通じて硬水を泡に添加し、３０秒後の泡量（硬水１００ｍｌ添加後の泡量）を確認し、次式で示す泡量変化率を求めた。この評価では、泡量変化率が３０％以下であれば希釈（すすぎ）による速やかな泡消えが達成できるものと判断できる。
泡量変化率（％）＝（硬水１００ｍｌ添加後の泡量／初期の泡量）×１００
【００５６】
なお、ポンプフォーマーは市販の「キュキュットクエン酸効果泡タイプ」（花王（株）製：２００７年製造）のポンプフォーマーを水で十分洗浄・乾燥させたものを用いた。手製のジョウロは、２５０ｍｌのポリプロピレン製広口びん（アズワン製：アイボーイ広口びん）の底部約３分の１を除去し、フタを外した状態の開口部に、均一に１３個の直径約２ｍｍの穴を開けた薄いプラスチック製の多孔板を固定して作製した。上部から水を注ぐと下端面の穴から水が放出される。
【００５７】
【表１】
0005700523.tif 000003
【００５８】
表１の実施例１〜５と比較例１の結果から、（ａ）成分及び（ｂ）成分が含まれると泡量変化率が低く、泡消え性に優れ、（ｂ）成分が含まれないと泡量変化率が高く、泡消え性に劣ることが分かる。また、実施例１〜５と比較例２〜４の結果から、（ａ）成分の分岐率が２５モル％未満であると泡量変化率が高く、泡消え性に劣ることが分かる。
【産業上の利用可能性】
【００５９】
本発明の手洗い用食器洗浄剤組成物は、洗浄時には豊かな泡立ちと洗浄時の泡の持続性を示すが、すすぎ時には瞬時に泡が消え、少量の水ですすぎが完了する手洗い用食器洗浄剤組成物として適している。